(57)【要約】      （修正有）【課題】接着剤を螺合部に多量に塗布した場合でも、接着剤が外部にはみ出すことを防止する筆記具を提供する。【解決手段】筆記具は、内面にメネジ部３１を備えた前軸３と、前記前軸３のメネジ部３１に螺合可能なオネジ部４１を備えた後軸４とからなる軸筒２を有する。後軸４のオネジ部４１の後方に凹部４２を形成する。後軸４のオネジ部４１の山部と山部の間の谷部に接着剤６を塗布する。その後、後軸４のオネジ部４１に前軸３のメネジ部３１を螺合させる。その際に、凹部４２と前軸３の内面との間に接着剤６の余剰分を収容可能に構成する。【選択図】図２
0003148689.tif 000002
【実用新案登録請求の範囲】
【請求項１】
内面にメネジ部を備えた第１の部材と、前記第１の部材のメネジ部に螺合可能なオネジ部を備えた第２の部材とからなる軸筒を有する筆記具であって、前記第２の部材のオネジ部の後方に凹部を形成し、前記第２の部材のオネジ部の山部と山部の間の谷部に接着剤を塗布した後、前記第２の部材のオネジ部に第１の部材のメネジ部を螺合させた際に、前記凹部と前記第１の部材の内面との間に前記接着剤の余剰分を収容可能に構成したことを特徴とする筆記具。
【請求項２】
前記凹部の底面が、前記オネジ部の谷部の底面よりも径方向内方に位置してなる請求項１記載の筆記具。
【請求項３】
前記凹部の軸方向の幅が、前記オネジ部の谷部の底面の軸方向の幅より大きく設定される請求項１または２記載の筆記具。
【請求項４】
前記オネジ部の山部に切り欠き部を軸方向に貫設した請求項１、２または３記載の筆記具。
【考案の詳細な説明】
【技術分野】
【０００１】
本考案は、内面にメネジ部を備えた第１の部材と、前記第１の部材のメネジ部に螺合可能なオネジ部を備えた第２の部材とからなる軸筒を有する筆記具に関する。尚、本考案で「前」とは、第１の部材でメネジ部の内奥部側、第２の部材でオネジ部の螺合開始側を指し、「後」とは、その反対側を指す。
【背景技術】
【０００２】
特許文献１には、複数の部材の螺合部に接着剤を配置する筆記具用部材の連結構造が開示されている。
【０００３】
【特許文献１】特開２００１−２３９７８５号公報
【考案の開示】
【考案が解決しようとする課題】
【０００４】
前記従来の構造は、接着剤を螺合部に多量に塗布した場合、接着剤が外部にはみ出し、外観性を阻害するおそれがある。
【０００５】
本考案は、前記従来の問題点を解決するものであって、接着剤を螺合部に多量に塗布した場合でも、接着剤が外部にはみ出すことを防止できる筆記具を提供しようとするものである。
【課題を解決するための手段】
【０００６】
本考案は、内面にメネジ部３１を備えた第１の部材３と、前記第１の部材３のメネジ部３１に螺合可能なオネジ部４１を備えた第２の部材４とからなる軸筒２を有する筆記具であって、前記第２の部材４のオネジ部４１の後方に凹部４２を形成し、前記第２の部材４のオネジ部４１の山部と山部の間の谷部に接着剤６を塗布した後、前記第２の部材４のオネジ部４１に第１の部材３のメネジ部３１を螺合させた際に、前記凹部４２と前記第１の部材３の内面との間に前記接着剤６の余剰分を収容可能に構成したこと（構成１）を要件とする。
【０００７】
前記構成１の筆記具１は、第１の部材３の内面とオネジ部４１後方の第２の部材４の内面との間に、接着剤６の余剰分が収容可能な大きな収容空間を確保でき、接着剤６をオネジ部４１に多量に塗布した場合でも、接着剤６が外部にはみ出すことを十分に防止できる。
【０００８】
また、前記構成１において、前記凹部４２の底面が、前記オネジ部４１の谷部の底面よりも径方向内方に位置してなること（構成２）が好ましい。それにより、凹部４２と第１の部材３の内面との間に大きな収容空間を確保でき、前記オネジ部４１の谷部から移行した接着剤６の余剰分が凹部４２に十分に保持でき、外部への接着剤６のはみ出しを一層、防止できる。
【０００９】
また、前記構成１または２において、前記凹部４２に軸方向の幅Ａが、前記オネジ部４１の谷部の底面の軸方向の幅Ｂより大きく設定されること（構成３）が好ましい。それにより、凹部４２と第１の部材３の内面との間に大きな収容空間を確保でき、前記オネジ部４１の谷部から移行した接着剤６の余剰分が凹部４２に十分に保持でき、外部への接着剤６のはみ出しを一層、防止できる。
【００１０】
また、前記構成１、２または３において、前記オネジ部４１の山部に切り欠き部４３を軸方向に貫設したこと（構成４）が好ましい。それにより、オネジ部４１の谷部に部分的に塗布された接着剤６が、切り欠き部４３を介して他の谷部に迅速に行き渡るとともに、その余剰分が凹部４２にも迅速に移行される。
【考案の効果】
【００１１】
本考案は、構成１により、接着剤をオネジ部に多量に塗布した場合でも、接着剤が外部にはみ出すことを十分に防止できる。
【００１２】
本考案は、構成２により、接着剤をオネジ部に多量に塗布した場合でも、外部への接着剤のはみ出しを一層、防止できる。
【００１３】
本考案は、構成３により、接着剤をオネジ部に多量に塗布した場合でも、外部への接着剤のはみ出しを一層、防止できる。
【００１４】
本考案は、構成４により、オネジ部の谷部に部分的に塗布された接着剤が、切り欠き部を介して他の谷部に迅速に行き渡るとともに、その余剰分が凹部にも迅速に移行される。
【考案を実施するための最良の形態】
【００１５】
図１及び図２に本考案の実施の形態を示す。
【００１６】
本実施の形態の筆記具１は、軸筒２と、該軸筒２内に収容される筆記体５とからなる。
【００１７】
前記軸筒２は、前軸３（第１の部材）と、該前軸３の後端部に螺着される後軸４（第２の部材）とからなる。
【００１８】
前記筆記体５は、ペン先５１（例えばボールペンチップ）と、前記ペン先５１を前端に保持するペン先保持部材５２と、前記ペン先保持部材５２が前端に固着されたインキ収容管５３とからなる。前記ペン先保持部材５２は、インキ収容管５３の外径より大きい外径を有する鍔部５２ａを備える。前軸３と後軸４の螺着後、前記鍔部５２ａが、前軸３のメネジ部３１前方の内面の段部と後軸４の前端面とにより前後方向に挟持されるとともに、ペン先５１が、前軸３の前端孔３２より外部に突出される。
【００１９】
前記前軸３は、先細状の前端部を備えた円筒体であり、金属材料により構成される。前記前軸３の後端部内面にメネジ部３１が形成される。また、前軸３の前端には、筆記体５のペン先５１が外部に突出可能な前端孔３２が形成される。
【００２０】
前記後軸４は、前端が開口され且つ後端が閉鎖された有底の筒体であり、合成樹脂の成形体（例えば、ブロー成形または射出成形等）により得られる。前記後軸４の前端部外面には、外径が後方の外面より小さい縮径部４４が形成される。前記縮径部４４の外面には、オネジ部４１が形成される。前記オネジ部４１の後方の縮径部４４外面には、凹部４２が形成される。また、前記オネジ部４１の山部には、軸方向の切り欠き部４３が貫設される。前記切り欠き部４３は、軸線に対して対称位置の二箇所に形成される。前記切り欠き部４３に、パーティングライン（金型の合わせ面）が配置される。
【００２１】
前記凹部４２の底面は、オネジ部４１の山部と山部との谷部の底面よりも径方向内方に位置される。また、前記凹部４２の軸方向の幅Ａは、オネジ部４１の山部と山部との谷部の底面の軸方向の幅Ｂよりも大きく設定される。また、前記凹部４２の周方向の長さは、オネジ部４１の山部の周方向の長さと略等しく設定される。即ち、凹部４２は、オネジ部４１の山部後方の、オネジ部４１の山部に沿った位置のみに配置される。
【００２２】
本実施の形態の作用について説明する。
後軸４のオネジ部４１の山部と山部の間の谷部に接着剤６を塗布した後、前記後軸４のオネジ部４１と前軸３のメネジ部３１とを螺合させる。もし、多量の接着剤６がオネジ部４１に塗布された場合、接着剤６の余剰分が、オネジ部４１の後方に移行し、凹部４２と前軸３内面との間の空間に収容される。そのため、外部に接着剤６がはみ出すことを十分に防止できる。また、前記オネジ部４１に接着剤６を塗布することにより、メネジ部３１に接着剤を塗布することに比較して接着剤６の塗布が容易となる。また、メネジ部３１とオネジ部４１との間に接着剤を介在させることにより、前軸３と後軸４の螺合が緩むことを防止できる。
【００２３】
また、前記凹部４２の底面が、オネジ部４１の山部と山部との谷部の底面よりも径方向内方に位置され、且つ、前記凹部４２の軸方向の幅Ａが、山部と山部との谷部の底面の軸方向の幅Ｂよりも大きく設定されることにより、接着剤６をオネジ部４１に多量に塗布した場合でも、外部への接着剤６のはみ出しを十分に防止できる。
【００２４】
また、前記オネジ部４１の山部に軸方向に切り欠き部４３が貫設されることにより、オネジ部４１の谷部に部分的に塗布された接着剤６が、切り欠き部４３を介して他の谷部に迅速に行き渡るとともに、その余剰分が凹部４２にも迅速に移行される。
【図面の簡単な説明】
【００２５】
【図１】本考案の筆記具の実施の形態を示す縦断面図である。
【図２】図１の要部拡大図である。
【符号の説明】
【００２６】
１  筆記具
２  軸筒
３  前軸（第１の部材）
３１  メネジ部
３２  前端孔
４  後軸（第２の部材）
４１  オネジ部
４２  凹部
４３  切り欠き部
４４  縮径部
５  筆記体
５１  ペン先
５２  ペン先保持部材
５２ａ  鍔部
５３  インキ収容管
６  接着剤
Ａ  凹部の軸方向の幅
Ｂ  オネジ部の谷部の底面の軸方向の幅
【図１】
0003148689.tif 000003
【図２】
0003148689.tif 000004